(57)【特許請求の範囲】
【請求項１】
いくつかの単語を含んだ課題単語集を記憶する記憶手段と、
カラオケ楽曲に関する各種情報を曲別に整理してあるデータベースにアクセスし、利用者が選出したカラオケ楽曲の曲名やアーチスト名や歌詞などから選択された対象に含まれている単語の集合を楽曲起因単語集として抽出する抽出手段と、
利用者がカラオケ楽曲を選出するごとに前記抽出手段が抽出した前記楽曲起因単語集と、前記記憶手段に記憶された前記課題単語集とを対照し、両単語集中の一致する単語を検出する比較手段と、
前記比較手段による一致単語が検出されるごとに当該一致単語を表示する一致単語表示手段と、
前記比較手段によって前記課題単語集中のすべての単語の一致が検出されたことを判定する課題達成判定手段と、
前記課題達成判定手段により課題達成と判定された場合、当該課題達成の最終要因となったカラオケ楽曲の予約情報に課題達成フラグを付けて待ち行列に登録する予約手段と、
前記待ち行列に従って演奏するカラオケ楽曲の予約情報に前記課題達成フラグが付いている場合、当該カラオケ楽曲の演奏に関連して課題達成の報知出力をする出力手段と
を備えたことを特徴とするカラオケ言葉遊びシステム。
【請求項２】
前記記憶手段は、課題単語集中の各単語の文字列を二次元的に配列して組み合わせるクロスワードパズル情報を記憶し、
前記一致単語表示手段は、前記クロスワードパズル情報に基づいて、前記比較手段により検出された各一致単語をそれぞれ該当する配列欄に当てはめたクロスワードパズル画面を表示する
ことを特徴とする請求項１に記載のカラオケ言葉遊びシステム。
【発明の詳細な説明】
【０００１】
【発明の属する技術分野】
この発明は、カラオケ装置や多機能カラオケリモコン装置などに組み込まれるカラオケ言葉遊びシステムに関し、とくに、利用者が選曲して予約して順番がきたら歌うという通常のカラオケ利用行為の中で言葉遊びのゲーム的な要素を伴った付加サービスを提供することを意図したシステムに関する。
【０００２】
【発明の背景】
カラオケ利用客が増加することを期待して、カラオケの楽しみを増すように、カラオケ装置にはさまざまな種類の付加的な機能が備わっている。カラオケで歌うことと直結した付加機能としては、歌唱の巧拙を採点して提示する機能や、歌うという身体運動の消費カロリーを推定して提示する機能や、ダンスダンスリボリューション（商品名）のように歌うとともに踊ることに関連した機能などがある。またカラオケで歌っていない場合に利用する機能としては、イントロ当てクイズ機能や、ビンゴゲーム支援機能や、じゃんけんゲーム機能などがある。さらに、カラオケとして演奏する曲と曲の間におみくじゲームとかルーレットゲームなどを短く挿入する機能も知られている。
【０００３】
【発明の開示】
カラオケの利用とは歌を歌うことである。歌を歌うということは、歌詞をメロディーにのせて発声することである。歌詞は言葉であり、多数の単語が含まれている。周知のように、カラオケ装置のディスプレイに歌詞字幕が表示される。もちろんカラオケ楽曲には曲名があるし、普通は元歌のアーチスト名とともにカラオケ楽曲が認識されている。これらも言葉であり、カラオケ装置のディスプレイに曲名やアーチスト名も字幕表示される。また、歌いたい曲を探し出して予約番号を調べるためにカラオケ目次本を使用するが、これには曲名・アーチスト名・歌い出し部分の歌詞などを著す文字が印刷されている。
【０００４】
このことに鑑みて、本発明では、利用者が選曲して予約して順番がきたら歌うという通常のカラオケ利用行為の中で、言葉遊びのゲーム的な要素を伴った付加サービスにつなげることを意図したカラオケ言葉遊びシステムを提供するものである。
【０００５】
この発明に係るカラオケ言葉遊びシステムは、つぎの構成要件（１）〜（７）を備えたものである。
（１）いくつかの単語を含んだ課題単語集を記憶する記憶手段
（２）カラオケ楽曲に関する各種情報を曲別に整理してあるデータベースにアクセスし、利用者が選出したカラオケ楽曲の曲名やアーチスト名や歌詞などから選択された対象に含まれている単語の集合を楽曲起因単語集として抽出する抽出手段
（３）利用者がカラオケ楽曲を選出するごとに前記抽出手段が抽出した前記楽曲起因単語集と、前記記憶手段に記憶された前記課題単語集とを対照し、両単語集中の一致する単語を検出する比較手段
（４）前記比較手段による一致単語が検出されるごとに当該一致単語を表示する一致単語表示手段
（５）前記比較手段によって前記課題単語集中のすべての単語の一致が検出されたことを判定する課題達成判定手段
（６）前記課題達成判定手段により課題達成と判定された場合、当該課題達成の最終要因となったカラオケ楽曲の予約情報に課題達成フラグを付けて待ち行列に登録する予約手段
（７）前記待ち行列に従って演奏するカラオケ楽曲の予約情報に前記課題達成フラグが付いている場合、当該カラオケ楽曲の演奏に関連して課題達成の報知出力をする出力手段
【０００６】
このシステムにおいて、前記記憶手段は課題単語集中の各単語の文字列を二次元的に配列して組み合わせるクロスワードパズル情報を記憶し、前記一致単語表示手段は、前記クロスワードパズル情報に基づいて、前記比較手段により検出された各一致単語をそれぞれ該当する配列欄に当てはめたクロスワードパズル画面を表示する、という構成を採用することもできる。
【０００７】
【発明の実施の形態】
＝＝＝多機能カラオケリモコン装置の構成＝＝＝
この発明の一実施例に係る多機能カラオケリモコン装置の外観を図１に示し、電気的な機能ブロック構成を図２に示している。この多機能カラオケリモコン装置は、Ｂ５判ほどの寸法で厚みのあるパネル型のキーボードレス・コンピュータであり、外観的には装置正面の大部分が液晶表示パネル１ａに透明タッチセンサ１ｂを重ねた液晶タッチパネル１で占められ、内部には、ＣＰＵ・ＲＡＭ・ＲＯＭを含む中央処理装置２と、液晶表示パネル１ａを表示駆動する表示ドライバ３と、透明タッチセンサ１ｂに対する入力座標を検出する入力検出回路４と、大容量の外部記憶であるフラッシュメモリ５と、カラオケ装置に向けてリモコン信号を発信するための赤外線ＬＥＤ６およびＬＥＤドライバ７と、充電ステーションと結合して充電される電源電池（図示省略）と、充電ステーションに付属のデータ通信装置を介してカラオケ装置とデータ通信する通信制御部８などが実装されている。
【０００８】
中央処理装置２は、楽曲索引データベースをフラッシュメモリ５に格納して管理する。楽曲索引データベースは、カラオケ装置で演奏に供される多数の楽曲についての属性情報を記述したデータベースであり、楽曲番号・曲名・アーチスト名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報がこれに含まれている。多機能カラオケリモコン装置をカラオケ装置に接続されている充電ステーションに結合した状態において、中央処理装置２は通信制御部８を介してカラオケ装置とデータ通信し、楽曲索引データベースの内容を更新するようにシステム構成されている。
【０００９】
＝＝＝データベース検索による選曲＝＝＝
中央処理装置２は、利用者が希望の楽曲を前記楽曲索引データベースに基づいて検索するための処理を前記利用者インタフェースの媒介で実行する。このデータベース検索処理の初期状態では、検索メニュー画面（図３）が液晶タッチパネル１に表示される。この検索メニュー画面の歌手名検索ボタンにタッチ入力すると、５０音のカナ文字パレット画面に表示が切り替わり、その画面上でカナ文字にタッチして歌手名の頭文字から順番に入力して（途中まででもよい）、検索実行ボタンにタッチ入力すると、楽曲索引データベースから該当する楽曲群が抽出されて一覧表示される。その中に希望の曲があれば、その曲名にタッチ入力した上で決定ボタンにタッチ入力すると、その楽曲の詳細画面（図４）が表示される。この画面上で転送ボタンにタッチ入力すると、その楽曲の識別情報を含んだ演奏予約リモコン信号がカラオケ装置に向けて発信される。検索メニュー画面に示しているように、曲名検索モードや、流行時期を検索キーとするあのころ検索モードなどがある。
【００１０】
＝＝＝カラオケ言葉遊びシステムの導入部＝＝＝
各種の検索モードを使って予約対象楽曲を一曲に絞った段階では、先に説明したようにその楽曲の詳細画面（図４）が表示される。この実施例の多機能カラオケリモコン装置においては、予約対象楽曲の詳細画面が表示されたときに、中央処理装置２が、その予約対象楽曲をカラオケ言葉遊びシステムの処理対象曲として入力する。カラオケ言葉遊びシステムのアルゴリズムについては後で詳しく説明する。ここでは、カラオケ言葉遊びシステムの処理により予約対象楽曲により言葉遊びの課題が達成されたとする。
【００１１】
この場合、前記の転送ボタンにタッチ入力することにより予約対象楽曲の識別情報を含んだ演奏予約リモコン信号を発信する処理において、そのリモコン信号中に所定のデータ形式で課題達成フラグを含ませる。このように楽曲識別情報に課題達成フラグを付帯させることで、利用者がその曲を選んでリクエストしたことで、言葉遊びの課題が達成されたことを意味づけしている。
【００１２】
＝＝＝カラオケ装置＝＝＝
この発明の一実施例に係るカラオケ装置の概略構成を図５に示している。カラオケ装置は、パソコン相当のコンピュータ応用機器であって、中央処理装置５１がＣＰＵ・ＲＯＭ・ＲＡＭを含んだコンピュータ本体であり、大容量の外部記憶であるハードディスク装置５２と、加入電話回線またはＩＳＤＮ回線を介してカラオケホスト装置と通信する通信制御装置５３と、利用者からの入力情報を受け付けるとともに利用者に向けて案内情報や応答情報を提示する利用者インタフェース装置５４と、ＭＩＤＩデータを主体にした音楽演奏データに基づいて伴奏音楽の音響信号を生成する音楽生成装置５５と、伴奏音楽やマイクロホンからの音響信号を増幅してスピーカーから発音する音響装置５６と、ＣＲＴやＬＣＤあるいはＰＤＰなどを用いた映像表示装置５７と、この映像表示装置５７に表示すべき画像データを処理する画像処理装置５８と、ＣＤ−ＲＯＭやＤＶＤ−ＲＯＭを再生する光ディスク装置５９などを備えている。
【００１３】
利用者インタフェース装置５４には、装置本体の操作パネル（キーボードとディスプレイ）が含まれるとともに、前述した多機能カラオケリモコン装置から発信されたリモコン信号を受信するリモコン信号受信部が含まれている。
【００１４】
＝＝＝待ち行列管理と演奏制御の基本動作＝＝＝
中央処理装置５１は適宜な記憶部に演奏予約の待ち行列を作成し、カラオケ楽曲の演奏順番を管理している。利用者インタフェース装置４により入力される演奏予約データ中に楽曲を特定する６桁の数字からなる楽曲番号（楽曲識別情報）が含まれている。中央処理装置５１は、演奏予約データが入力されたならば、その中の楽曲番号がカラオケ楽曲データベースに登録されている演奏可能な楽曲の番号であることを確認した上で、その楽曲番号を待ち行列に登録する。
【００１５】
中央処理装置５１は、待ち行列から登録順に楽曲番号を取り出し、ハードディスク装置５２のカラオケ楽曲データベースから該当するカラオケ楽曲データを取り出して処理する。１つの楽曲番号に対応する１曲分のカラオケ楽曲データは、ＭＩＤＩデータやＡＤＰＣＭデータなどで表現されたカラオケ伴奏音楽の起源となる音楽演奏データと、伴奏音楽に同期した歌詞字幕を表示するための歌詞字幕データと、伴奏音楽の出力期間に前記歌詞字幕の背景として表示すべき映像データを直接または間接に指定する映像指定データと、当該楽曲のタイトルやアーチストや著作者を字幕表示するための楽曲説明字幕データなどが対応づけされたデータ群である。
【００１６】
なお、ハードディスク装置５２と光ディスク装置５９を記憶資源として、カラオケ背景として表示される映像データベースも構築されており、中央処理装置５１はカラオケ楽曲データ処理の一環として前記映像指定データに基づいて映像データベースから適宜な映像データを取り出して画像処理装置５８に受け渡し、歌詞字幕とともに映像表示装置５７により表示する。
【００１７】
＝＝＝課題達成フラグと特典のお知らせ＝＝＝
カラオケ装置の中央処理装置５１は、多機能カラオケリモコン装置から発信された演奏予約リモコン信号を受信したとき、その信号中に前記課題達成フラグが含まれているか否かをチェックし、課題達成フラグがあったならば、演奏予約楽曲の楽曲番号を待ち行列に登録するとき課題達成フラグも付けて登録しておく。
【００１８】
そしてカラオケ装置の中央処理装置５１は、待ち行列に登録されいる課題達成フラグ付きの楽曲番号に演奏の順番がまわってきたときに、前述のようにその楽曲のカラオケ演奏の準備を進めるとともに、「この曲のリクエストにより言葉遊びが完成しました。言葉遊びに参加の皆さんには特典が用意されています」という主旨のメッセージを利用者に伝達する特典メッセージ出力処理を実行する。たとえば、ファンファーレのようなごく短い音楽を音響出力するとともに、見栄えよくデザインされたメッセージ文書を映像出力する。
【００１９】
具体的にどのような特典を利用客に与えるのか、その特典を受けるために利用客がどのように手続きするのかは、特典を付与する側のカラオケ店経営者の裁量に委ねられる。たとえばカラオケバーのようなお店では、特典メッセージが出力されると利用客とともに店員もこれを認知するので、お店側は即座にその利用客に生ビールを一杯サービスすることができる。また、カラオケボックスのような店舗形態では、特典メッセージが出力されたら、インターホンで受け付けに連絡して状況を伝え（たとえば楽曲番号などを伝える）、それを確認した店員が記念品を利用客のいるボックスに持参することができる。
【００２０】
＝＝＝カラオケ言葉遊びシステムの実体部分＝＝＝
この実施例においては、カラオケ言葉遊びシステムの実体は多機能カラオケリモコン装置にプログラムされるソフトウェアである。具体的には、楽曲索引データベースの更新処理と同様に、前記リモコン装置を充電ステーションに結合した状態において、リモコン装置がカラオケ装置と通信し、カラオケ装置から与えられるカラオケ言葉遊びシステム（ソフトウェア）がリモコン装置のフラッシュメモリ５に格納され、中央処理装置２がそのソフトウェアに従ってカラオケ言葉遊びのアルゴリズムを実行する。
【００２１】
前述したように、多機能カラオケリモコン装置の各種の検索モードを使って予約対象楽曲を一曲に絞った段階では、その楽曲の詳細画面（図４）が表示され、この段階で、その予約対象楽曲がカラオケ言葉遊びシステムの処理対象曲として入力される。これを受けて中央処理装置２は、まず、楽曲索引データベースからその楽曲の曲名とアーチスト名と歌い出し部分の歌詞とを取り出してきて、それらの文字列を形態素解析して単語に分解し、それら単語の集合を楽曲起因単語集として一時記憶する。
【００２２】
この楽曲起因単語集と比較すべき課題単語集がカラオケ言葉遊びシステムにプログラムされている。ここで説明する実施例の課題単語集は、お店のポスターなどで掲示して利用者にさりげなく知らせてある広告キャッチフレーズに含まれている複数の単語である。
【００２３】
中央処理装置２はカラオケ言葉遊びシステムの処理を実行し、予約対象楽曲についての楽曲起因単語集を抽出したならば、つぎに、楽曲起因単語集と課題単語集とを対照し、両者に一致する単語があるか否かを調べ上げる。一致した単語があったなら、中央処理装置２はその単語をヒット単語として一時記憶するとともに、液晶タッチパネル１に短時間だけ表示して選曲をした利用者に知らせる。この表示では、利用者がなんのことだか理解できるように解説付きで表示してもよいし、そうでなくてもよい。
【００２４】
利用者が多機能カラオケリモコン装置を使って選曲するたびに、その選ばれた楽曲についての楽曲起因単語集と課題単語集とを対照し、ヒット単語を探し出してヒット単語テーブルに一時記憶していく。何曲も選曲されて予約されているうちに前記ヒット単語が増えてくる。そして、ある予約対象楽曲について同じ処理を行ったとき、課題単語集の全単語がヒット単語になったとする。この場合に中央制御装置２は、言葉遊びの課題が達成されたものとして扱い、その予約対象楽曲に課題達成フラグをつける。
【００２５】
この実施例では、お店のポスターに書かれている広告キャッチフレーズと、選曲するときにときどき表示されるヒット単語と、課題達成時の特典のお知らせとの関係性に気がつく勘の鋭いお客さんも出てきて、話題性に富む付加サービスとなる。
【００２６】
つぎに説明するカラオケ言葉遊びの実施例は、よく知られたクロスワードパズルであって、前記課題単語集には各単語の文字列を二次元的に配列して組み合わせる情報も含まれており、前記課題達成過程表現手段はクロスワードパズル画面に前記一致単語を当てはめていくように、カラオケ言葉遊びシステムがプログラムされている。
【００２７】
具体的なゲーム進行手順としては、多機能カラオケリモコン装置である予約対象楽曲が決まると、中央処理装置２は、まず、楽曲索引データベースからその楽曲の曲名とアーチスト名と歌い出し部分の歌詞とを取り出してきて、それらの文字列を形態素解析して単語に分解し、それら単語の集合を楽曲起因単語集として一時記憶する。つぎに、その楽曲起因単語集と課題単語集（クロスワードパズルの出題単語集）とを対照して、両者に一致する単語があるか否かを調べ上げる。
一致した単語があったなら（それをヒット単語とする）、中央処理装置２は、前記課題単語集の情報に基づいてクロスワードパズル画面を生成し、その中に前記ヒット単語を当てはめて、液晶タッチパネル１に短時間だけ表示して選曲をした利用者に知らせる。利用者が多機能カラオケリモコン装置を使って選曲するたびに、その選ばれた楽曲についての楽曲起因単語集と課題単語集とを対照し、ヒット単語を探し出して、ヒット単語でクロスワードパズル画面を埋めていく。
【００２８】
何曲も選曲されて予約されているうちに前記ヒット単語が増えてきて、ついにはクロスワードパズル画面の空欄がすべて埋まる。この時点で中央制御装置２は、言葉遊びの課題が達成されたものとして扱い、最後のヒット単語を生じた予約対象楽曲に課題達成フラグをつける。
【００２９】
以上の実施例のほか、しりとり遊びとか、連想言葉遊びなど、この発明を適用することのできる言葉遊びは多様である。なお、以上の実施例では多機能カラオケリモコン装置においてカラオケ言葉遊びシステムの本体を稼働させるようにしたが、カラオケ装置自体にこのシステムを組み込むこともできるし、カラオケ装置のごく近辺にてカラオケ装置と通信しながら稼働する他のコンピュータ応用機器上でカラオケ言葉遊びシステムを動作させることもできる。
【００３０】
【発明の効果】
この発明によれば、利用者が選曲して予約して順番がきたら歌うという通常のカラオケ利用行為の中で言葉遊びのゲーム的な要素を伴った付加サービスを提供することができる。
【図面の簡単な説明】
【図１】この発明の一実施例による多機能カラオケリモコン装置の外観図である。
【図２】同上多機能カラオケリモコン装置の機能ブロック図である。
【図３】同上多機能カラオケリモコン装置における選曲メニュー画面の概略図である。
【図４】同上多機能カラオケリモコン装置における楽曲詳細画面の概略図である。
【図５】この発明の一実施例によるカラオケ装置の機能ブロック図である。
【符号の説明】
１  液晶タッチパネル
１ａ  液晶表示パネル
１ｂ  透明タッチセンサ
２  多機能カラオケリモコン装置の中央処理装置
５１  カラオケ装置の中央処理装置
【図１】
0003897593.tif 000002
【図２】
0003897593.tif 000003
【図３】
0003897593.tif 000004
【図４】
0003897593.tif 000005
【図５】
0003897593.tif 000006